(57)【要約】【課題】見栄え良く、且つ操作性および保管性を向上させたペンダントを提供することである。【解決手段】カード識別情報を予め記憶している鍵カード２０を挿入すると、挿入した鍵カード２０を検出し、検出した鍵カード２０のカード識別情報を読み取る鍵カード読取部１３ｃと、ペンダント識別情報を予め記憶している記憶部１３ｂと、前記鍵カード読取部１３ｃが読み取ったカード識別情報と前記記憶部１３ｂに記憶のペンダント識別情報とを照合する鍵カード照合部１３ａと、電源回路１４と、操作回路１５と、前記鍵カード照合部１３ａによる照合が一致すると、ペンダント１０を操作可能となるように前記操作回路１５を前記電源回路１４によって通電させ、前記鍵カード読取部１３ｃが鍵カード２０を検出しなくなると、前記操作回路１５への通電を遮断させる制御部１３ｄとを備える。【選択図】  図２
2006205333.tif 000002
【特許請求の範囲】
【請求項１】
カード識別情報を予め記憶している鍵カードを挿入すると、挿入した鍵カードを検出し、検出した鍵カードのカード識別情報を読み取る鍵カード読取部と、
ペンダント識別情報を予め記憶している記憶部と、
前記鍵カード読取部が読み取ったカード識別情報と前記記憶部に記憶のペンダント識別情報とを照合する鍵カード照合部と、
電源回路と、
操作回路と、
前記鍵カード照合部による照合が一致すると、ペンダントを操作可能となるように前記操作回路を前記電源回路によって通電させ、前記鍵カード読取部が鍵カードを検出しなくなると、前記操作回路への通電を遮断させる制御部とを備えるペンダント。
【発明の詳細な説明】
【技術分野】
【０００１】
本発明は、制御装置のインターフェイスであるペンダントに関し、詳しくは電源キーによってペンダント内の所定回路への電源供給と電源供給停止を行い得るペンダントに関する。
【背景技術】
【０００２】
この種のペンダントは、ペンダントがその機能を果たすために設けられた内部の所定諸回路（以後、操作回路という）を電源回路（共に図示しない）から通電（ＯＮ）または遮断（ＯＦＦ）させる電源スイッチを備えており、作業者はペンダントを使用前に電源スイッチを「通電」状態とさせ、またペンダント１００を使用後に電源スイッチを「遮断」状態とさせることで、ペンダント１００を使用時のみ操作回路を通電させて、無駄な電力を消費しないように省エネを図っている。この電源スイッチの例として、例えば図３に示す錠機構１３０によって操作回路を通電または遮断させる技術が知られている。この技術では、錠機構１３０の鍵穴１３２に鍵２００を挿入し、挿入した鍵２００を「遮断」位置から「通電」位置へと回転させることで、操作回路と電源回路（以後、電源回路のことを本書ではバッテリとも称するものとする）が電気的に接続状態となり操作回路が通電される構成となっている。また、逆に、鍵２００を「通電」位置から「遮断」位置へと回転させることで、操作回路とバッテリが電気的に非接続状態となり操作回路への通電が遮断される構成となっている。また、作業者は、この鍵２００を「遮断」位置でのみ鍵穴１３２から引き抜くことができ、鍵２００を引き抜いておけば、ペンダント１００の操作回路を通電させることができないため、ペンダント１００の悪戯操作の防止を図ることができる。なお、このペンダント１００は、表面に表示部１１０、入力部１２０を備えケーブル３００を介して制御装置４００と電気的に接続してある一般的な教示ペンダントである。
【０００３】
この出願の発明に関連する先行技術文献情報としては、例えば、特許文献１が知られている。
【特許文献１】特開２００２−３３２００号公報
【発明の開示】
【発明が解決しようとする課題】
【０００４】
しかしながら、上述したペンダントを使用する場合、鍵を鍵穴へ挿入したままとなるため、ペンダントの表面は鍵の柄が突出した状態（図３に示す状態）となっていた。そのため、ペンダントの見栄えが悪くなっていた。また、作業者は、突出した鍵の柄で自身の指や何か物を引っ掛けることがあり、ペンダントの操作性が悪くなっていた。また、鍵の紛失防止の観点および他のペンダントの鍵との間違え防止の観点から、ペンダントを使用後、鍵を鍵穴の「遮断」位置に挿入したままでペンダントを保管することがあった。この状態で保管すると、突出した鍵の柄が干渉することによって、ペンダントを重ねて保管することができなかったり、保管時に何か物を引っ掛けることがあったり、ペンダントの保管性が悪くなっていた。
【０００５】
本発明は、このような点に鑑みて創案されたものであり、操作性および保管性を向上させたペンダントを提供することを課題とする。
【課題を解決するための手段】
【０００６】
本発明は、上記の目的を達成するためのものであって、以下のように構成されている。
請求項１に記載のペンダントは、カード識別情報を予め記憶している鍵カードを挿入すると、挿入した鍵カードを検出し、検出した鍵カードのカード識別情報を読み取る鍵カード読取部と、ペンダント識別情報を予め記憶している記憶部と、前記鍵カード読取部が読み取ったカード識別情報と前記記憶部に記憶のペンダント識別情報とを照合する鍵カード照合部と、電源回路と、操作回路と、前記鍵カード照合部による照合が一致すると、ペンダントを操作可能となるように前記操作回路を前記電源回路によって通電させ、前記鍵カード読取部が鍵カードを検出しなくなると、前記操作回路への通電を遮断させる制御部とを備える構成である。
この構成によれば、ペンダントと鍵カードを照合させ、その照合が一致するとペンダントの操作回路を通電させることができる。そのため、従来技術に記した錠機構１３０と鍵２００によってペンダントの操作回路を通電させる作用と同様の作用を本発明でも有することができる。そして、その照合は、ペンダントの内部に認識手段を備え、その認識手段によって鍵カードを照合させる構成であるため、ペンダントを使用時に鍵カードがペンダントの表面から突出することはない。したがって、ペンダントの見栄え、操作性および保管性が悪くなることはない。
【発明を実施するための最良の形態】
【０００７】
以下に本発明を実施するための最良の形態を、図１〜３を用いて説明する。
図１は、本発明のペンダント１０を使用した制御装置４０のシステム構成図である。図２は、本発明のペンダント１０内部の電気的構成を示すブロック図である。図３は、従来技術のペンダント１００を使用した制御装置４００のシステム構成図である。
【０００８】
［ペンダント１０について］
まず、本発明のペンダント１０について説明する。
図１に示すように、ペンダント１０は表面に表示部（例えば、液晶パネル）１１、入力部（例えば、入力キー）１２、また一方の側面（図１において、右側側面）に鍵カード挿入口１３ｆおよび取出ボタン１３ｅを備えており、ケーブル３０を介して制御装置４０と電気的に接続してある。また、図２に示すように、ペンダント１０は内部に認識手段１３、バッテリ１４、および操作回路１５を備えている。この操作回路１５とは、ペンダント１００を操作可能とさせる電気回路であり、この電気回路を通電させることにより、表示部１１および入力部１２が使用可能となる。なお、このペンダント１０は、従来技術に記したペンダント１００と同様に一般的な教示ペンダントである。
【０００９】
鍵カード挿入口１３ｆは、ペンダント１０の内部に鍵カード２０を挿入するための挿入口である。また、取出ボタン１３ｅが鍵カード挿入口１３ｆに併設してあり、この取出ボタン１３ｅを押下することによって、挿入した鍵カード２０の一端（図１において、右端）を鍵カード挿入口１３ｆから飛び出させることができる。例えば、挿入してある鍵カード２０を１ｃｍ飛び出させることができる。このように、鍵カード２０を飛び出させることによって、飛び出させた鍵カード２０の一端を把持しペンダント１０の内部から完全に抜き出させることができる。もちろん、一端を飛び出させた鍵カード２０を、そのままの状態で鍵カード挿入口１３ｆに保持させておくことも可能である。
【００１０】
図２に示すように、認識手段１３は、鍵カード照合部１３ａ、記憶部１３ｂ、鍵カード読取部１３ｃおよび制御部１３ｄによって構成されているとともに、バッテリ１４と電気的に常時接続してある。そのため、鍵カード２０を鍵カード挿入口１３ｆへ挿入すると、鍵カード読取部１３ｃは、挿入された鍵カード２０を検出し、検出した鍵カード２０に記憶してあるカード識別情報を読み取り、読み取ったカード識別情報を記憶部１３ｂへ記憶させる。このカード識別情報については、後述する［鍵カード２０について］の説明欄で詳述する。
【００１１】
ここで鍵カード読取部１３ｃは、鍵カード２０を検出すると、鍵カード照合部１３ａへ鍵カード検出信号を送信する。なお、鍵カード読取部１３ｃは、鍵カード２０を検出しなくなると、鍵カード検出信号の送信を中止する。また、記憶部１３ｂには、他のペンダントと識別可能なペンダント識別情報を予め記憶させている。このペンダント識別情報は、複数の英数字から構成される識別情報であり、例えば「０００Ａ」を記憶させている場合について説明する。なお、複数のペンダント１０を所有する場合には、各ペンダント１０に異なるペンダント識別情報を記憶させておくことになる。
【００１２】
また、バッテリ１４と操作回路１５は、リレー接点（ａ接点）１６を介して電気的に接続してある。このリレー接点１６を動作させる動作コイル（図示しない）は、制御部１３ｄに備えられており、制御部１３ｄは鍵カード照合部１３ａからの照合一致信号によってこの動作コイルを励磁させリレー接点１６を動作させている。このリレー接点１６が動作すると、バッテリ１４によって操作回路１５は通電され、表示部１１および入力部１２が動作可能となり、ペンダント１０は制御装置４０のインターフェイスとして使用可能となる。
【００１３】
［鍵カード２０について］
次に、鍵カード２０について説明する。
鍵カード２０は、例えば「磁気カード」であり他の鍵カード２０と識別可能なカード識別情報を予め記憶している。このカード識別情報は、複数の英数字から構成される識別情報であり、例えば「０００Ａ」を記憶させている場合について説明する。なお、複数の鍵カード２０を所有する場合には複数のペンダント１０を所有する場合と同様に、各鍵カード２０に異なるカード識別情報を記憶させておくことになる。
【００１４】
［ペンダント１０の通電について］
続いて、ペンダント１０の操作回路１５を通電させる方法について説明する。
作業者は鍵カード２０をペンダント１０の鍵カード挿入口１３ｆへ挿入する。すると、鍵カード読取部１３ｃは、挿入された鍵カード２０を検出し、検出した鍵カード２０のカード識別情報を読み取り、読み取ったカード識別情報を記憶部１３ｂへ記憶させる。この例では、既に説明したように、鍵カード２０にはカード識別情報として「０００Ａ」が記憶されているため、記憶部１３ｂには、この「０００Ａ」が記憶される。
【００１５】
鍵カード読取部１３ｃによって鍵カード識別情報が読み取られると、鍵カード照合部１３ａは、この読み取りによって記憶された鍵カード識別情報と予め記憶のペンダント識別情報とを照合する。この場合、鍵カード識別情報もペンダント識別情報もともに「０００Ａ」であるため照合が一致する。照合が一致すると、鍵カード照合部１３ａは照合一致信号を制御部１３ｄへ送信する。この照合一致信号を受けて制御部１３ｄは、動作コイルを励磁させてリレー接点１６を動作させる。すると、既に説明したように、バッテリ１４によって操作回路１５は通電され、表示部１１および入力部１２が動作可能となり、ペンダント１０は制御装置４０のインターフェイスとして使用可能となる。なお、照合が不一致の場合、制御部１３ｄは動作コイルを励磁させない。
【００１６】
このように鍵カード２０によってペンダント１０は使用可能となる。この使用可能な状態では、従来技術（図３参照）に記した錠機構１３０および鍵２００が存在しないため、ペンダント１００の表面から鍵２００が突出することがない。したがって、ペンダント１０の見栄が良くなり、且つ操作性も向上する。
【００１７】
次に、通電させた操作回路１５を遮断させる方法について説明する。
作業者はペンダント１０の取出ボタン１３ｅを押下する。すると、既に説明したように、鍵カード２０の一端が鍵カード挿入口１３ｆから飛び出てくる。このように鍵カード２０が飛び出てくると、鍵カード読取部１３ｃは、鍵カード２０を検出しなくなる。すると、鍵カード照合部１３ａは鍵カード検出信号を検出しなくなるため、制御部１３ｄは動作コイルの励磁を解除するとともに、記憶部１３ｂに記憶してあるカード識別情報を消去させる。この励磁の解除に伴って、リレー接点１６が開放されるため、バッテリ１４から操作回路１５への通電が遮断される。したがって、表示部１１および入力部１２は動作不能となり、ペンダント１０は制御装置４０のインターフェイスとして使用できなくなる。
【００１８】
このようにペンダント１０に挿入してある鍵カード２０の一端を鍵カード挿入口１３ｆから飛び出させることによって、ペンダント１０は使用不能な状態となる。そして、本来であれば、ペンダント１０の鍵カード挿入口１３ｆから鍵カード２０を完全に抜き出した状態でペンダント１０を保管することになるが、鍵カード２０の紛失防止の観点および他のペンダント１０の鍵カード２０との間違え防止の観点から、このように鍵カード２０の一端を鍵カード挿入口１３ｆから飛び出させた状態でペンダント１０を保管する場合もある。その場合であっても、従来技術（図３参照）に記した錠機構１３０および鍵２００が存在しないため、ペンダント１０を重ねて保管することができ、ペンダント１００の保管性が悪くなることはない。すなわち、ペンダント１０の保管性が向上する。
【００１９】
また、制御部１３ｄに現在の日時を認識可能な計時部（図示しない）を備えさせ、鍵カード読取部１３ｃがカード識別情報を記憶部１３ｂへ記憶させる際に、その日時を対応付けて記憶部１３ｂへ記憶させる構成でも構わない。その場合、後日に記憶部１３ｂを参照することにより、読み込んだ鍵カードのカード識別情報と日時の履歴を確認できる。
【００２０】
上述した内容は、あくまでも本発明の一実施の形態に関するものであって、本発明が上記内容に限定されることを意味するものではない。
実施例では、鍵カード２０が「磁気カード」である例を説明した。しかし、これに限定されるものでなく、鍵カード２０が「ＩＣカード」または「パンチカード」であっても構わない。その場合には、鍵カード読取部１３ｃが「ＩＣカード」または「パンチカード」を読み取ることができるようにする必要がある。
【００２１】
また、実施例では、ペンダント１０の右側側面に鍵カード挿入口１３ｆと取出ボタン１３ｅとを備える構成を説明した。しかし、これに限定されるものでなく、ペンダント１０の左側側面（図１において、Ｂ方向矢印）または下側（図１において、Ａ方向矢印）に鍵カード挿入口１３ｆと取出ボタン１３ｅとを備える構成でも構わない。
【図面の簡単な説明】
【００２２】
【図１】図１は、本発明のペンダント１０を使用した制御装置４０のシステム構成図である。
【図２】図２は、本発明のペンダント１０操作の電気的構成を示すブロック図である。
【図３】図３は、従来技術のペンダント１００を使用した制御装置４００のシステム構成図である。
【符号の説明】
【００２３】
１０    ペンダント
１３    鍵カード識別手段
１３ａ  鍵カード照合部
１３ｂ  記憶部
１３ｃ  鍵カード読取部
１３ｄ  制御部
１４    バッテリ
１５    操作回路
【図１】
2006205333.tif 000003
【図２】
2006205333.tif 000004
【図３】
2006205333.tif 000005